(57)【特許請求の範囲】
【請求項１】
室内の空気を吸入する吸入口と加湿された空気を排出する排出口とを有する本体と、この本体内部に設けられる送風機および給水手段と、給水手段から水分を吸収するとともに本体の吸入口から吸入される空気を通気してこの空気を加湿する加湿フィルタと、この加湿フィルタを本体に保持する保持部とを備える加湿装置において、保持部は、保持部本体と、この保持部本体にスライド可能に設けられて加湿フィルタを押圧して保持するスライダとから構成され、スライダは加湿フィルタの変形に追従してスライドすることを特徴とする加湿装置。
【発明の詳細な説明】
【０００１】
【発明の属する技術分野】
本発明は、加湿フィルタに通気することによって室内の空気を加湿する加湿装置に関する。
【０００２】
【従来の技術】
室内の相対湿度を上げるために加湿装置が利用されているが、近年では、電気代が安く経済的である気化式の加湿装置が主流となっている。
【０００３】
従来、この種の加湿装置としては、例えば、特開２０００−３５６３７３号公報に記載のものが知られている。この従来の加湿装置は、図５に示すように、室内の空気を吸入する吸入口１０１と加湿された空気を排出する排出口１０２と給水タンク１０５を出し入れする蓋１０３とを有する本体１０４と、この本体１０４内部に設けられる送風機１１０、給水タンク１０５、給水溝１０６および水槽１０７と、水槽１０７から水分を吸収するとともに本体１０４の吸入口１０１から吸入される空気を通気してこの空気を加湿する加湿フィルタ１０８と、この加湿フィルタ１０８を本体１０４に保持する保持部１０９とを備えてなる。
【０００４】
この従来の加湿装置によれば、本体１０４の内部に設けられている送風機１１０の作用によって、室内の空気が吸入口１０１より吸入されて、この空気が加湿フィルタ１０８を通気されることによって加湿されて、この加湿された空気が排出口１０２から排出されて室内が加湿される。
【０００５】
【発明が解決しようとする課題】
しかしながら、上述のような従来の加湿装置では、加湿フィルタに、空気中および水分中の不純物による劣化、および吸収した水分の重さによる作用によって、縮みおよび腰折れ等の経時的変形を発生させ、加湿フィルタとその保持部との間に隙間を生じさせる。この結果として、送風機によって吸入される室内の空気は空気抵抗の小さい隙間により多く通気することとなって、加湿フィルタでの加湿効率を減少させてしまうという問題点がある。
【０００６】
本発明は、このような状況を鑑みてなされたもので、加湿フィルタに縮みおよび腰折れ等の経時的変形が発生した場合であっても、加湿フィルタとその保持部との間に隙間を生じさせず、長期間に渡って安定した加湿効率を得ることができる加湿装置を提供することを課題とする。
【０００７】
【課題を解決するための手段】
前述の課題を解決するため、本発明に係る加湿装置は、次のような手段を採用する。
【０００８】
本発明の要旨は、室内の空気を吸入する吸入口と加湿された空気を排出する排出口とを有する本体と、この本体内部に設けられる送風機および給水手段と、給水手段から水分を吸収するとともに本体の吸入口から吸入される空気を通気してこの空気を加湿する加湿フィルタと、この加湿フィルタを本体に保持する保持部とを備える加湿装置において、保持部は、保持部本体と、この保持部本体にスライド可能に設けられて加湿フィルタを押圧して保持するスライダとから構成され、スライダは加湿フィルタの変形に追従してスライドすることを特徴とする加湿装置に関する。
【０００９】
本発明によれば、保持部は、保持部本体と、この保持部本体にスライド可能に設けられて加湿フィルタを押圧して保持するスライダとから構成され、加湿フィルタの変形に追従してスライダがスライドする。
【００１０】
【発明の実施の形態】
以下、本発明に係る加湿装置の実施の形態を図面に基づいて説明する。
図１〜図２は、本発明に係る加湿装置の実施の形態（１）を説明するものである。
【００１１】
図１は、本発明に係る加湿装置２０を示す側面断面図である。加湿装置２０は、本体４、給水タンク５、水槽７、加湿フィルタ８、保持部９、送風機１２から概略構成されている。
【００１２】
本体４は、加湿装置２０の外壁をなし内部に給水タンク５等を収容する剛性のある筐体であって、一側面には室内の空気を吸入する吸入口１が形成され、上面には加湿された空気を排出する排出口２および給水タンク５を出し入れするための蓋３が形成されている。
【００１３】
本体４内部は、加湿フィルタ８や保持部９等が収容される収容室と給水タンク５とが仕切り壁４ａで仕切られており、給水タンク５の下部から水槽７へ水を送る（流す）給水溝６が仕切り壁４ａ下方を通して設けられている。
【００１４】
給水タンク５は、内部空間に水を収容するタンクであって、下部に設けられた排水口５ａから内部空間に収容されている水を給水溝６に送る。
【００１５】
水槽７（給水手段）は、加湿装置２０の下部に設けられ、給水溝６から送られた水を貯水するためのものである。
【００１６】
加湿フィルタ８は、下部を水槽７に浸すように配設され、水槽７に貯水されている水を吸収して本体４の吸入口１から吸入される室内の空気を通気して加湿するためのものである。なお、給水手段としては、水槽７に限られるものではなく、給水ポンプ等によって上部から給水するものであってもよい。
【００１７】
保持部９は、加湿フィルタ８を本体４に保持するためのものであって、加湿フィルタ８の上部に設けられている。保持部９は、保持部本体９ａと、保持部本体９ａにスライド可能に設けられたスライダ９ｂとから構成されている。
【００１８】
保持部本体９ａは、図２に示すように、例えば略々円筒状に形成され、上端部９ｃは本体４に固着され、下端部９ｄには外周から内側に張り出した鍔部１１が設けられている。
【００１９】
スライダ９ｂは、図２に示すように、保持部本体９ａにスライド可能に係合し自重によって加湿フィルタ８の上面８ａを押圧して加湿フィルタ８を本体４に保持するものであって、例えば保持部本体９ａの円筒の内径φ１より小さい外径φ２を有する略々円筒状に形成され、上端部９ｅには円筒の半径方向に弾性を有するとともに円筒の外周より外側に張り出した係止部１０が設けられ、下端部９ｆには円筒の外周より内側に張り出した押圧面９ｇと円筒の外周より外側に張り出したストッパ１３とが設けられている。なお、係止部１０には円筒の上端面９ｈから円筒の外側下方に向けた斜面９ｉとこの斜面９ｉの先端部９ｊに連続して端面９ｋが設けられている。
【００２０】
保持部本体９ａとスライダ９ｂは、保持部本体９ａの鍔部１１の先端部１１ａにスライダ９ｂの斜面９ｉを当接させ、保持部本体９ａにスライダ９ｂを押し込むことによって組み立てられる（保持部本体９ａにスライダ９ｂを押し込むとスライダ９ｂの係止部１０がその弾性によって円筒の内側に撓み、さらに押し込まれることによって保持部本体９ａとスライダ９ｂとが係合する）。
【００２１】
また、保持部本体９ａに対するスライダ９ｂのスライド距離は、係止部１０の端面９ｊからストッパ１３の上面１３ａまでの垂直方向の間隔Ｗとなる。
【００２２】
送風機１２は、保持部９の内部であって本体４の排出口２の近傍に設けられている。これによって、室内の空気が本体４の吸入口１から吸入され、加湿フィルタ８を通気して加湿され、この加湿された空気が保持部９内を通気して排出口２より排出される。
【００２３】
次に、このように構成された加湿装置２０の作用について説明する。
通常、加湿フィルタ８はスライダ９ｂの自重によってスライダ９ｂの押圧面９ｇが加湿フィルタ８の上面８ａを押圧することによって本体４に保持されている。そのため、加湿フィルタ８と保持部９との間には隙間が存在していない。ここで、加湿フィルタ８は、空気中および水分中の不純物による劣化、および吸収した水分の重さによる作用によって、縮みおよび腰折れ等の経時的変形を発生させる。これによって、加湿フィルタ８と保持部９との間に隙間を発生させることとなるが、スライダ９ｂが自重によって加湿フィルタ８の変形に追従してスライドして、加湿フィルタ８と保持部９との間に隙間を生じさせない。
【００２４】
次に、本発明に係る加湿装置の実施の形態（２）について説明する。図３〜図４は、本発明に係る加湿装置の実施の形態（２）を示すものである。なお、実施の形態（１）と同様の説明は、同一符号を付すことで詳細を省略する。
【００２５】
この実施の形態（２）の加湿装置３０は、図３〜図４に示すように、保持部１４は、加湿フィルタ８の周囲を保持するとともに空気を通気させる通気窓１５を有する保持枠１４ａとこの保持枠１４ａの内部であって保持枠１４ａにスライド可能に設けられたスライダ１４ｂとから構成されるものである。なお、加湿装置３０においては、送風機１２は本体４の吸入口１近傍に配置されている。
【００２６】
保持枠１４ａは、略々角筒状に形成され、上端部にはスライダ１４ｂが設けられ、スライダ１４ｂの下方に加湿フィルタ８が保持されている。なお、加湿フィルタ８はスライダ１４ｂの自重によって加湿フィルタ８の上面８ａが押圧されて保持枠１４ａの下部に保持されている。
【００２７】
【発明の効果】
以上のように、本発明によれば、加湿フィルタに縮みおよび腰折れ等の経時的変形が発生した場合であっても、加湿フィルタを押圧して保持する保持部のスライダがスライドすることによって、加湿フィルタと保持部との間に隙間を発生させることがなくなる。このため、送風機によって本体の吸入口から吸入された室内の空気が加湿フィルタと保持部との間の隙間を通気して排出されることがなくなって確実に加湿フィルタを通気させることができ、長期間に渡って安定した加湿効率を得ることができる効果がある。
【図面の簡単な説明】
【図１】本発明に係る加湿装置の実施の形態（１）を示す側面断面図である。
【図２】図１の加湿装置の保持部を示す斜視図である。
【図３】本発明に係る加湿装置の実施の形態（２）を示す側面断面図である。
【図４】図２の加湿装置の保持部を示す斜視図である。
【図５】従来の加湿装置を示す側面断面図である。
【符号の説明】
１              吸入口
２              排出口
３              蓋
４              本体
５              給水タンク
６              給水溝
７              水槽
８              加湿フィルタ
９、１４        保持部
９ａ、１４ａ    保持部本体
９ｂ、１４ｂ    スライダ
１０            鍔部
１１            ストッパ
１２            送風機
１３            ストッパ
１５            通気窓
２０、３０      加湿装置
φ              径
Ｗ              間隔
【図１】
0003693590.tif 000002
【図２】
0003693590.tif 000003
【図３】
0003693590.tif 000004
【図４】
0003693590.tif 000005
【図５】
0003693590.tif 000006